(57)【特許請求の範囲】
【請求項１】
エアゾール容器のステムに、このステムから噴出するエアゾール内容物の収納室を設けた押圧体を接続し、この押圧体によるステムの押圧でエアゾール容器のバルブ機構を開放可能とするとともに、ステムから収納室に流入する単位時間当りの流入量よりも少ない噴出量を備えた噴出ノズルを、収納室と外部との連通部に形成し、ステムと収納室とを連通する導入ノズルを、収納室と噴出ノズルとを連通する噴出管の軸方向に対して放射状に開口し、ステムから噴出するエアゾール内容物が噴出管内に直に流入するのを防ぎ、いったん収納室内に流入した後、この収納室から噴出管内に流入するものとした事を特徴とする継続噴射装置。
【請求項２】
エアゾール容器は、バルブ機構のハウジングの下端にディップチューブを接続し、このディップチューブの下端にチェッキ弁を配置して、エアゾール内容物のディップチューブへの流入は可能とするが流入したエアゾール内容物がエアゾール容器内に復元する事のないようにした事を特徴とする請求項１の継続噴射装置。
【発明の詳細な説明】
【０００１】
【産業上の利用分野】
本発明は、芳香剤、消臭剤、殺虫剤等のエアゾール内容物を、一定量、継続的に噴射するための継続噴射装置に係るものである。
【０００２】
【従来の技術】
従来、エアゾール内容物の噴射を行う場合には、押釦等を介してエアゾール容器のステムを押圧して噴射する方法がある。この場合は、エアゾール容器のステムに接続した押釦等を人の手指等で押圧し、この押圧している時間だけエアゾール内容物の噴射を行う方法である。また、他の従来方法として、エアゾール容器のステムを継続的に押圧する機構を介して、一度その押圧動作を行えば、手指等による押圧動作を継続しなくとも、エアゾール内容物を外部に連続的に噴射させる事ができる構造のものが存在する。
【０００３】
そして、前記の手指等にて押圧する時間だけ、エアゾール内容物の噴射を可能とするものは、操作者が噴射状態を確認しながら行うので、噴射量の制御が完全で機構も簡易なものである利点を有している。
【０００４】
【発明が解決しようとする課題】
しかしながら、エアゾール内容物を噴射している間、手指等でエアゾール容器のステムを押圧しているため、噴射したエアゾール内容物が操作者に接触するという欠点を有している。そのため、芳香剤、消臭剤、殺虫剤等に於ては、衣類に刺激臭が付着したり、気分が悪くなる等の薬物中毒を引き起こし、操作者に悪影響を及ぼす可能性があった。
【０００５】
また、一度押圧動作を行うと、エアゾール内容物の噴射を継続する他の異なる従来方法では、一度の押圧動作でエアゾール容器内の全てのエアゾール内容物を外部に噴射して使い切ってしまうものである。そのため、エアゾール容器内のエアゾール内容物を、複数回に分けて噴射可能とし、一回の押圧動作にて一定時間だけ一定量のエアゾール内容物を継続噴射しようとするものが存在する。
【０００６】
この一回の押圧動作にて一定時間、一定量のエアゾール内容物を噴射する従来技術として、実開昭６１−８７５５６号公報記載の如き考案が存在する。この考案は、チルドバルブのステムを、ゴム製の吸盤を備えた押圧体で押圧する事により、バルブ機構を一定時間開放して、エアゾール内容物の継続噴射を行うものであった。そして、一定時間が経過すると、チルドバルブステムの復元力で、吸盤による吸着が解除され、エアゾール内容物の噴射が停止するものであった。
【０００７】
しかしながら、ゴム製の吸盤では、繰り返しの使用により、ゴム質の劣化、破損、摩耗を生じ易く、チルドバルブステムの吸着固定を良好に行えなくなるとともに、噴出ノズルの構造も複雑となる不具合があった。
【０００８】
本発明は、上述の如き課題を解決するため、一回の押圧動作でエアゾール容器のエアゾール内容物を全量噴射するのではなく、一定量のエアゾール内容物のみを一回の動作により、継続的に噴射する事ができるエアゾール内容物の継続噴射装置を提供しようとするものである。このような構造とする事により、エアゾール容器に収納したエアゾール内容物の一定量のみを、一回の押圧動作によって、継続的に噴射できるものとなる。
【０００９】
従って、操作者は、この押圧動作をした後に、直ちにその噴射現場を離れる事により、エアゾール内容物の影響を殆ど受ける事がない利点を有するものとなる。また、一回の操作で全量噴射するものではないから、操作者はエアゾール内容物の継続噴射を繰り返し行う事ができる。このような利点により、芳香剤、消臭剤、殺虫剤等のエアゾール内容物の噴射を行う場合に好都合な製品を得る事ができる。
【００１０】
【課題を解決するための手段】
本発明は、上述の如き課題を解決するため、エアゾール容器のステムに、このステムから噴出するエアゾール内容物の収納室を設けた押圧体を接続し、この押圧体によるステムの押圧でエアゾール容器のバルブ機構を開放可能とするとともに、ステムから収納室に流入する単位時間当りの流入量よりも少ない噴出量を備えた噴出ノズルを、収納室と外部との連通部に形成し、ステムと収納室とを連通する導入ノズルを、収納室と噴出ノズルとを連通する噴出管の軸方向に対して放射状に開口し、ステムから噴出するエアゾール内容物が噴出管内に直に流入するのを防ぎ、いったん収納室内に流入した後、この収納室から噴出管内に流入するものとしたものである。
【００１１】
また、エアゾール容器は、バルブ機構のハウジングの下端にディップチューブを接続し、このディップチューブの下端にチェッキ弁を配置して、エアゾール内容物のディップチューブへの流入は可能とするが流入したエアゾール内容物がエアゾール容器内に復元す
る事のないようにしても良い。
【００１２】
【作用】
本発明は、上述の如く構成したものであるから、エアゾール内容物の継続噴射を行おうとする場合には、手指等により押圧体を押圧し、ステムを介してエアゾール容器のバルブ機構を開放する。この開放により、エアゾール容器内のエアゾール内容物は、押圧体の収納室内に流入する。そして、収納室内のエアゾール内容物は、収納室と外部との連通部に形成した噴出ノズルを介して外部に噴出するものである。
【００１３】
しかし、この噴出ノズルは、収納室に流入するエアゾール内容物の流入量よりも、単位時間当たりの外部への噴出量を少なくしているから、エアゾール容器の内部から収納室内に流入したエアゾール内容物は、収納室内にその大部分が貯留される。そして、押圧体への押圧を解除すれば、バルブ機構が閉止されるから、エアゾール内容物の収納室への流入は停止する。
【００１４】
しかし、前述の如く、収納室内には、エアゾール内容物が残留しているから、この残留エアゾール内容物が噴出ノズルから外部に継続的に噴射される。そして、収納室内のエアゾール内容物が全て外部に噴出されるまで、噴出ノズルからのエアゾール内容物の噴出が継続するものとなる。
【００１５】
このように、押圧体に対する一回の押圧動作によって、噴出ノズルからの単位時間当たりの噴出量よりも多いエアゾール内容物が収納室内に貯留されるから、操作者は押圧体を一度だけ短時間、押圧するのみで室外等に退去する事ができる。そのため、操作者はエアゾール内容物による影響を殆ど受ける事がなく、その室内には十分な量のエアゾール内容物を噴射する事が可能となる。
【００１６】
また、従来技術の如く、一回の押圧動作でエアゾール容器内の全てのエアゾール内容物を使い切るのではなく、エアゾール容器内の一定量のエアゾール内容物のみを継続的に噴出するものである。従って、操作者は、必要に応じて任意に、エアゾール内容物の継続噴射を繰り返し行う事ができる。
【００１７】
従って、本発明は、トイレ等の室内への芳香剤の噴射、室内への消臭剤や殺虫剤の噴射等を、エアゾール容器内の全量ではなく、一部のみのエアゾール内容物を定量的に、しかも継続的に噴射しようとする場合に好都合なものである。
【００１８】
そして、芳香剤としては、トイレ用芳香剤、室内用芳香剤、自動車用芳香剤等の噴射に適している。また、消臭剤としては、室内用消臭剤、自動車用消臭剤等の噴射に適している。また、殺虫剤としては、空間殺虫剤、ゴキブリ殺虫剤、園芸用殺虫剤、殺ダニ剤、不快害虫剤等の噴射に適している。
【００１９】
【実施例】
以下、本発明の一実施例を図面に於て説明すれば、(１)はエアゾール容器で、上端に目金(２)を巻締め固定し、この目金(２)の上端部をマウンテンカップ(３)により被覆している。そして、このマウンテンカップ(３)の中央部には、ステムガスケット(４)を介してバルブ機構(１８)のハウジング(５)を固定している。このハウジング(５)内には、ステム(６)を挿入し、ステム発条(７)の押圧力により、ステム(６)をマウンテンカップ(３)の上部方向に突出している。更に、このステム発条(７)によるステム(６)の押圧時に、常時はステムガスケット(４)によって、エアゾール容器(１)の内部と外部とは、連通する事のないように形成している。
【００２０】
また、前記ハウジング(５)の下端には、ディップチューブ(８)を接続し、このディップチューブ(８)をエアゾール容器(１)の下端部まで配置している。更に、エアゾール内容物(１１)を無駄なく使い切れるように、ディップチューブ(８)を湾曲形成して、下端をエアゾール容器(１)の下底角部に臨ませて配置している。そして、このディップチューブ(８)の下端には、ボール等で形成したチェッキ弁(１０)を配置し、エアゾール内容物(１１)の噴出時には、図２に示す如く、噴出圧力によってチェッキ弁(１０)を開放し、ディップチューブ(８)内にエアゾール内容物(１１)を導入可能としている。しかし、噴出を完了した後は、チェッキ弁(１０)がディップチューブ(８)の下端を密閉し、ディップチューブ(８)内に入ったエアゾール内容物(１１)のエアゾール容器(１)内への流出を防止している。
【００２１】
また、ステム(６)には、内部にエアゾール内容物(１１)の収納室（１４）を設けた押圧体(１２)を接続している。この押圧体(１２)は、エアゾール容器(１)のマウンテンカップ(３)外周に固定した固定部材(１３)内に上下動自在に挿入するとともに下端を、エアゾール容器(１)に固定したバルブ機構(１８)のステム(６)に接続している。また、押圧体(１２)は、ステム(６)と接続した下端側に、このステム(６)と収納室(１４)とを連通する導入ノズル(１５)を開口している。
【００２２】
また、この導入ノズル(１５)に臨ませて、上部方向に噴出管(１６)を配置し、この噴出管(１６)によって、収納室(１４)の下底方向の空間と、押圧体(１２)の上端に設けた噴出ノズル(１７)とを連通する事により、収納室(１４)内のエアゾール内容物(１１)を外部に噴出可能としている。また、導入ノズル(１５)は、ステム(６)から収納室(１４)方向に放射状に開口する事により、ステム(６)から噴出するエアゾール内容物(１１)が噴出管(１６)内に直に流入するのを防ぎ、いったん収納室(１４)内に流入した後、この収納室(１４)から噴出管(１６)内に流入するものとしている。
【００２３】
また、押圧体(１２)の上端に設けた噴出ノズル(１７)と、ステム(６)に連通する導入ノズル(１５)とは、導入ノズル(１５)からの単位時間当たりのエアゾール内容物(１１)の流出量よりも、噴出ノズル(１７)からの噴出量が少なくなるよう形成している。この噴出量の差は、任意に設定する事ができるが、押圧体(１２)を一秒間押圧した際に導入ノズル(１５)から噴出するエアゾール内容物(１１)の分量に対して、噴出ノズル(１７)から１７〜１８秒程度の噴出が継続する程度の分量比とするのが一つの実施例である。要するに、エアゾール内容物(１１)の収納室(１４)への流入量が、噴出ノズル(１７)から外部への噴出量よりも多くなるように形成されれば良いものである。
【００２４】
上述の如く構成したものに於て、エアゾール内容物(１１)の噴出を行わない場合には、図１に示す如く、バルブ機構(１８)及びディップチューブ(８)のチェッキ弁(１０)が閉止している。そして、エアゾール内容物(１１)の噴出を行う場合には、押圧体(１２)を手指等で短時間押圧する事により、図２に示す如くステム(６)を押圧すれば、バルブ機構(１８)は開放する。このバルブ機構(１８)の開放とともにチェッキ弁(１０)も開放するので、エアゾール容器(１)内のエアゾール内容物(１１)は、ディップチューブ(８)を介してハウジング(５)内に流入する。
【００２５】
そして、ハウジング(５)内のエアゾール内容物(１１)は、ステム(６)及び導入ノズル(１５)を介して収納室(１４)内に流入し、押圧体(１２)の上端に設けた噴出ノズル(１７)から外部に噴出する。しかし、収納室(１４)内への単位時間当たりの流入量よりも、押圧体(１２)の上端に設けた噴出ノズル(１７)から外部への噴出量を少ないものとしているから、エアゾール内容物(１１)は、収納室(１４)内に一定量貯留されるものとなる。
【００２６】
従って、押圧体(１２)に対する短時間の押圧後に、エアゾール容器(１)のバルブ機構(１８)が閉止されても、図３に示す如く、収納室(１４)に残留したエアゾール内容物(１１)が噴出ノズル(１７)から少量ずつ継続に噴射されるものとなる。従って、押圧体(１２)に対する短時間の押圧動作後、操作者はその噴出現場から外部に退出する事が可能となり、エアゾール内容物(１１)による悪影響を受ける事が少ないものである。
【００２７】
また、短時間の押圧動作であっても、室内には十分な量のエアゾール内容物(１１)を噴射する事が可能となる。また、一回の押圧でエアゾール容器(１)内のエアゾール内容物(１１)を全量使い切るのではないので、次回も押圧体(１２)を短時間押圧する事により、前回と略同量のエアゾール内容物(１１)を継続噴射する事が可能となる。
【００２８】
また、押圧体(１２)の押圧を解除してバルブ機構(１８)を閉止する事により、ディップチューブ(８)の下端に設けたチェッキ弁(１０)も閉止する。このチェッキ弁(１０)を設けていないと、ディップチューブ(８)内のエアゾール内容物(１１)は、自重によってエアゾール容器(１)内に流出し、次回の噴射時にディップチューブ(８)内の気化ガスが収納室(１４)内に流入する。そのため、収納室(１４)内へのエアゾール内容物(１１)の導入量が少なくなり、押圧体(１２)への押圧時間が同じでも、エアゾール内容物(１１)の収納室(１４)への導入にばらつきが生じる。
【００２９】
しかし、本実施例では、ディップチューブ(８)にチェッキ弁(１０)を設けているから、バルブ機構(１８)の閉止とともにチェッキ弁(１０)も閉止して、ディップチューブ(８)内のエアゾール内容物(１１)がエアゾール容器(１)内に復元する事はない。そして、次回の噴射時には、ディップチューブ(８)内のエアゾール内容物(１１)も収納室(１４)に導入されるから、エアゾール内容物(１１)の定量的な噴射を確実に行う事ができる。
【００３０】
【発明の効果】
本発明は上述の如く構成したものであるから、押圧体に対する短時間の押圧によって、一定量のエアゾール内容物を一定時間、継続的に噴射する事が可能となる。そのため、芳香剤、消臭剤、殺虫剤等を噴射する場合に、操作者に与えるエアゾール内容物の影響を最小限としながら、エアゾール内容物の作業目的を十分に達成する事が可能となるものである。
【図面の簡単な説明】
【図１】  本発明一実施例の断面図である。
【図２】  押圧体を押圧時のエアゾール内容物の噴出状態を示す断面図である。
【図３】  押圧解除後のエアゾール内容物の噴出状態を示す断面図である。
【符号の説明】
１  エアゾール容器
５  ハウジング
６  ステム
８  ディップチューブ
１０  チェッキ弁
１１  エアゾール内容物
１２  押圧体
１４  収納室
１７  噴出ノズル
１８  バルブ機構
【図１】
0004511702.tif 000002
【図２】
0004511702.tif 000003
【図３】
0004511702.tif 000004